(57)【要約】【課題】読取画像の確認、各読取画像に対して行う処理の選択、及び処理結果の確認等をタッチパネルを利用して簡単に行うことができる原稿読取装置の提供。【解決手段】タッチパネルの表示部２１に読取画像を一覧表示部７１に並べて表示する。また、雛型アイコン７３及びその他の編集用のアイコンを編集アイコン表示部７２に表示する。ユーザによる読取画像への接触操作によりこの読取画像を処理対象として受け付ける。また、接触位置を雛型アイコン７３へ移動させて接触を解除することにより雛型アイコン７３による編集処理を受け付ける。また、雛型アイコン７３には編集処理結果として読取画像を重ねて表示する。【選択図】図６
2008236539.tif 000002
【特許請求の範囲】
【請求項１】
一又は複数頁の原稿を読み取って頁毎の読取画像を取得する原稿読取手段と、画像を表示する表示部及び該表示部に表示された画像への接触操作を検知する検知手段を有するタッチパネルとを備える原稿読取装置において、
一又は複数の読取画像、及び読取画像に対して実行する処理に関連付けられた実行処理画像を、前記タッチパネルの表示部に表示する処理を行う表示処理手段と、
前記表示部に表示された読取画像への接触操作を前記検知手段が検知した場合に、前記読取画像を処理対象として受け付ける処理対象受付手段と、
該処理対象受付手段による処理対象の受け付け後に、前記表示部に表示された実行処理画像への接触操作を前記検知手段が検知した場合に、前記実行処理画像に関連付けられた処理を、前記処理対象に対して実行する処理として受け付ける実行処理受付手段と、
該実行処理受付手段が受け付けた処理を、前記処理対象受付手段が受け付けた処理対象の読取画像に対して実行する読取画像処理手段と
を備え、
前記表示処理手段は、読取画像又は実行処理画像と共に、前記読取画像処理手段による処理結果を前記表示部に表示すること
を特徴とする原稿読取装置。
【請求項２】
前記実行処理画像として、読取画像に対して実行する編集処理に関連付けられた雛型画像を、前記表示処理手段が前記表示部に表示し、
前記読取画像処理手段は、前記実行処理受付手段が受け付けた前記雛型画像による編集処理を、前記処理対象受付手段が受け付けた処理対象の読取画像に対して実行し、
前記表示処理手段は、前記雛型画像に処理対象の読取画像をあてはめた処理結果を表示すること
を特徴とする請求項１に記載の原稿読取装置。
【請求項３】
一又は複数の他の装置へ読取画像を送信する送信手段を備え、
前記実行処理画像として、前記送信手段による送信先に関連付けられた送信先画像を、前記表示処理手段が前記表示部に表示し、
前記読取画像処理手段は、前記処理対象受付手段が受け付けた処理対象の読取画像に対して、前記実行処理受付手段が受け付けた前記送信先画像に係る送信先への送信処理を実行すること
を特徴とする請求項１に記載の原稿読取装置。
【請求項４】
記憶装置へ読取画像を記憶させる処理を行う記憶処理手段を備え、
前記実行処理画像として、前記記憶処理手段による記憶先に関連付けられた記憶先画像を、前記表示処理手段が前記表示部に表示し、
前記読取画像処理手段は、前記処理対象受付手段が受け付けた処理対象の読取画像に対して、前記実行処理受付手段が受け付けた前記記憶先画像に係る記憶先への記憶処理を実行すること
を特徴とする請求項１に記載の原稿読取装置。
【請求項５】
前記表示部に表示された読取画像への連続的な接触操作を検知した場合に、前記表示処理手段が前記読取画像に係る情報を前記表示部に表示すること
を特徴とする請求項１乃至請求項４のいずれか１つに記載の原稿読取装置。
【発明の詳細な説明】
【技術分野】
【０００１】
本発明は、コピー機、スキャナ又はファクシミリ等のように、原稿を読み取って画像を取得する機能を備える原稿読取装置に関する。
【背景技術】
【０００２】
従来、ＣＣＤ（Charge Coupled Devices）イメージセンサを有する光学ユニットにて原稿の読み取りを行い、取得した画像に対して種々の処理を行う装置として、コピー機、ファクシミリ、スキャナ又はデジタル複合機等の原稿読取装置が普及している。例えば、コピー機は読み取った原稿を印刷用紙に印刷する処理を行い、ファクシミリは読み取った原稿を他の機器へ送信する処理を行い、スキャナは読み取った原稿を記憶装置に記憶する処理を行う。デジタル複合機はこれらの複数の機器の機能を兼ね備えている。
【０００３】
近年の原稿読取装置には、ＡＤＦ（Automatic Document Feed、自動原稿送り装置）が搭載されている場合が多い。ユーザはＡＤＦを用いることによって複数頁の原稿の読み取りを一度の操作で行うことができる。また、原稿読取機能は年々多機能化しており、例えばコピー機には、原稿の複数頁を１枚の印刷用紙にコピーする集約機能、印刷用紙の両面に原稿をコピーする両面コピー機能、及び原稿を任意のサイズに拡大／縮小してコピーする拡大／縮小機能等の多種多様な機能が備えられている。これらにより、ユーザは多数頁の原稿を一度に読み取って、集約して両面コピーするなどの多種多様な態様でコピーを行うことができる。
【０００４】
しかし、原稿読取装置にはＰＣ（パーソナルコンピュータ）のようにキーボード及びマウス等の高度な入力装置が備えられていない場合が多い。よって、液晶表示部に表示されたメニューを少数のボタン又はタッチパネル等により選択することで、原稿を読み取って取得した画像に対して行う処理を選択する必要がある。例えば、複数頁の原稿を集約してコピーする場合に、ユーザはメニューから集約印刷を選択し、ＡＤＦに原稿をセットし、スタートボタンを操作することによってコピーを開始することができる。コピー機は原稿の読み取りを行って、取得した画像を集約印刷の設定に従って集約し、印刷用紙に印刷して出力する。その後、ユーザは出力された印刷物にて仕上がりを確認する。しかし、所望の仕上がりでない場合にはユーザは上述の手順を再度行う必要があり、ユーザの作業時間の増大及び印刷用紙などの資源の浪費等を招来するという問題がある。このように、ユーザは少数のボタン又はタッチパネル等の低操作性の入力装置により多種多様な機能を利用しなければならず、原稿読取装置の多機能化に伴ってユーザの誤操作が増加しこの問題が顕著化する虞がある。
【０００５】
特許文献１においては、複数の原稿又は両面コピーモード等の出力レイアウトを出力前にプレビュー表示する機能を備えることにより、ミスコピーを削減することができる画像形成装置が提案されている。この画像形成装置では、原稿をスキャンして読み取った画像又はメモリ部に記憶された画像に対してプレビュー処理部が編集加工を施してモニタに表示する。例えば、両面コピーのレイアウト、及び記録媒体の表面又は裏面に形成する画像のレイアウト等を表示することができる。
【０００６】
特許文献２においては、印刷装置で再現不能となる領域が複写対象画像に含まれている場合であっても、所望の仕上がりの複写物を得ることができる複写制御装置が提案されている。この複写制御装置では、複写対象原稿を読み取って得られた印刷用画像データを低解像度化したシミュレーション用画像データをクライアントＰＣに転送し、クライアントＰＣにてシミュレーション画像を表示する。更に、シミュレーション用画像データを基に元画像との色差が閾値以上となる再現不良領域の有無を判定してシミュレーション画像上に明示する。ユーザによって印刷条件の変更が指示された場合には、変更された印刷条件に応じてシミュレーション画像を再表示する。また、印刷条件の確定が指示された場合には、確定した印刷条件を複合機へ送信し、この印刷条件で記録用紙へ印刷を行わせる。
【特許文献１】特開２００３−２４４３７２号公報
【特許文献２】特開２００６−２５４１０６号公報
【発明の開示】
【発明が解決しようとする課題】
【０００７】
特許文献１に記載の画像形成装置は、出力レイアウトをプレビュー表示することにより、印刷用紙に印刷を行う前にユーザが出力結果を確認することができるため、ミスコピーによる印刷用紙などの資源の浪費を削減することができる。しかしながら、操作方法又は操作手順等に工夫及び改善はなく、ユーザはプレビュー表示された出力結果が所望のものでない場合には、複雑な操作で機能の選択及び設定等を変更するか又は作業をやり直すかする必要がある。特に、原稿を集約して両面にコピーするなど、複数の機能を併用する場合には、プレビュー表示された出力結果が所望のものでない場合であっても、いずれの機能について設定変更を行えばよいのかが分かり難い。このため、ユーザの作業時間が増大するという問題を根本的に解決できるものではない。
【０００８】
特許文献２に記載の複写制御装置は、シミュレーション用画像データをクライアントＰＣに転送し、ＰＣにてシミュレーション画像の表示及び印刷条件の変更等を行うことができる。よって、クライアントＰＣに備えられたキーボード及びマウス等を利用して複雑な操作を行うことができる。しかしながら、印刷装置の他にクライアントＰＣが必要であり、高コストであるという問題がある。近年のデジタル複合機はネットワークに接続する機能を搭載している場合が多い。しかし、デジタル複合機とネットワーク接続されたクライアントＰＣとが近接して配置されていない場合には、ユーザがデジタル複合機及びクライアントＰＣ間を往復して移動する必要があるためユーザにとって煩わしいという問題がある。
【０００９】
本発明は、斯かる事情に鑑みてなされたものであって、その目的とするところは、読み取って取得した読取画像の確認、各読取画像に対して行う処理の選択、及び処理結果の確認等を同時的にタッチパネルを利用して簡単に行うことができる原稿読取装置を提供することにある。このため、読取画像及び実行処理画像をタッチパネルの表示部に表示し、接触を検知した読取画像を処理対象として受け付け、接触を検知した実行処理画像に係る処理をこの処理対象に対して実行する処理として受け付けて、処理結果を読取画像又は実行処理画像と共に表示する構成の原稿読取装置を提供することを目的とする。
【００１０】
また本発明の他の目的とするところは、読取画像の編集処理を容易に行うことができると共に、編集結果を確実に確認することができる原稿読取装置を提供することにある。
【００１１】
また本発明の他の目的とするところは、送信先の指定を容易に行うことができる原稿読取装置を提供することにある。
【００１２】
また本発明の他の目的とするところは、記憶先の指定を容易に行うことができる原稿読取装置を提供することにある。
【００１３】
また本発明の他の目的とするところは、各読取画像の詳細な情報をユーザが容易に確認することができる原稿読取装置を提供することにある。
【課題を解決するための手段】
【００１４】
第１発明に係る原稿読取装置は、一又は複数頁の原稿を読み取って頁毎の読取画像を取得する原稿読取手段と、画像を表示する表示部及び該表示部に表示された画像への接触操作を検知する検知手段を有するタッチパネルとを備える原稿読取装置において、一又は複数の読取画像、及び読取画像に対して実行する処理に関連付けられた実行処理画像を、前記タッチパネルの表示部に表示する処理を行う表示処理手段と、前記表示部に表示された読取画像への接触操作を前記検知手段が検知した場合に、前記読取画像を処理対象として受け付ける処理対象受付手段と、該処理対象受付手段による処理対象の受け付け後に、前記表示部に表示された実行処理画像への接触操作を前記検知手段が検知した場合に、前記実行処理画像に関連付けられた処理を、前記処理対象に対して実行する処理として受け付ける実行処理受付手段と、該実行処理受付手段が受け付けた処理を、前記処理対象受付手段が受け付けた処理対象の読取画像に対して実行する読取画像処理手段とを備え、前記表示処理手段は、読取画像又は実行処理画像と共に、前記読取画像処理手段による処理結果を前記表示部に表示することを特徴とする。
【００１５】
本発明においては、原稿を読み取って取得した読取画像と、実行する処理に関連付けられた実行処理画像とを、原稿読取装置に設けられたタッチパネルの表示部に表示する。原稿が複数頁の場合には、取得した複数の読取画像を並べて又は重ねて表示するなどして、一覧表示することが望ましい。表示された読取画像に対する接触を検知した場合には、この読取画像を処理対象として受け付ける。また、接触を検知した実行処理画像に係る処理をこの処理対象に対して実行する処理として受け付ける。例えば、読取画像に接触操作を行ってドラッグし、実行処理画像へドロップすることで処理対象及び実行する処理を選択する構成としてもよい。また、読取画像及び実行処理画像への接触操作を交互に行うことで処理対象及び実行する処理を選択する構成としてもよい。表示部に表示された読取画像及び実行処理画像に対して接触操作を行うことで処理対象とこれに対する処理を選択することができ、同一の画面に表示された読取画像及び実行処理画像を対応付けて選択することができる。更に、受け付けた処理を処理対象の読取画像に対して実行した結果を、表示部に表示した読取画像又は実行処理画像と共に表示する。これにより、ユーザは処理結果を確認しながら処理対象及び処理の選択を行うことができる。
【００１６】
また、第２発明に係る原稿読取装置は、前記実行処理画像として、読取画像に対して実行する編集処理に関連付けられた雛型画像を、前記表示処理手段が前記表示部に表示し、前記読取画像処理手段は、前記実行処理受付手段が受け付けた前記雛型画像による編集処理を、前記処理対象受付手段が受け付けた処理対象の読取画像に対して実行し、前記表示処理手段は、前記雛型画像に処理対象の読取画像をあてはめた処理結果を表示することを特徴とする。
【００１７】
本発明においては、編集処理に関連付けられた雛型画像を実行処理画像として表示する。例えば、集約機能のための雛型画像として２分割又は４分割等された矩形枠の画像を表示し、読取画像及び分割された矩形枠の一部分を対応付けて選択することで、集約した複数の読取画像の配置を編集する構成とすることができる。また、例えば、両面印刷機能のための雛型画像として印刷用紙の表面及び裏面に対応付けた２つの矩形枠の画像を表示し、読取画像及び一の矩形枠を対応付けて選択することで、読取画像の表裏の割り当て及び向き等を編集する構成とすることができる。また、編集結果を雛型に当てはめて表示することによって、ユーザは編集結果を確認しながら編集作業を行うことができる。
【００１８】
また、第３発明に係る原稿読取装置は、一又は複数の他の装置へ読取画像を送信する送信手段を備え、前記実行処理画像として、前記送信手段による送信先に関連付けられた送信先画像を、前記表示処理手段が前記表示部に表示し、前記読取画像処理手段は、前記処理対象受付手段が受け付けた処理対象の読取画像に対して、前記実行処理受付手段が受け付けた前記送信先画像に係る送信先への送信処理を実行することを特徴とする。
【００１９】
本発明においては、原稿を読み取って取得した読取画像をファクシミリ通信又はメール送信等の手段により他の装置へ送信する機能を原稿読取装置が有する場合に、送信先に関連付けられた送信先画像を実行処理画像として表示する。例えば、送信先の名称が付されたアイコンを並べて複数表示し、読取画像毎に送信先のアイコンを選択して送信を行う構成とすることができる。また、送信先を指定した読取画像に送信先の名称などを重ねて表示することによって処理結果の表示を行う構成としてもよい。
【００２０】
また、第４発明に係る原稿読取装置は、記憶装置へ読取画像を記憶させる処理を行う記憶処理手段を備え、前記実行処理画像として、前記記憶処理手段による記憶先に関連付けられた記憶先画像を、前記表示処理手段が前記表示部に表示し、前記読取画像処理手段は、前記処理対象受付手段が受け付けた処理対象の読取画像に対して、前記実行処理受付手段が受け付けた前記記憶先画像に係る記憶先への記憶処理を実行することを特徴とする。
【００２１】
本発明においては、原稿を読み取って取得した読取画像を記憶装置へ記憶する機能、所謂スキャナ機能を原稿読取装置が備える。可搬型のメモリを原稿読取装置に装着して読取画像を記憶する構成としてもよく、原稿読取装置に内蔵したメモリ又はハードディスク等に読取画像を記憶する構成としてもよく、又はネットワークを介してファイルサーバに読取画像を記憶する構成としてもよい。このような場合には、読取画像を記憶する記憶装置の選択及び記憶先のフォルダの指定等を行う必要がある。そこで、例えば記憶先の装置名又はフォルダ名等が付されたアイコンを並べて複数表示し、読取画像毎に記憶先のアイコンを選択して記憶を行う構成とすることができる。また、記憶先を指定した読取画像に記憶先の装置名又はフォルダ名等を重ねて表示することによって処理結果の表示を行う構成としてもよい。
【００２２】
また、第５発明に係る原稿読取装置は、前記表示部に表示された読取画像への連続的な接触操作を検知した場合に、前記表示処理手段が前記読取画像に係る情報を前記表示部に表示することを特徴とする。
【００２３】
本発明においては、タッチパネルの表示部に表示された読取画像への連続的な接触操作を受け付ける。これにより、タッチパネルにて所謂ダブルクリックの操作を受け付けて、読取画像の詳細な情報（例えば、画質、濃度、サイズ又は倍率等の情報）を表示する。ユーザは簡単な操作で各読取画像に関する情報を個別に確認することができる。
【発明の効果】
【００２４】
第１発明による場合は、読取画像及び実行処理画像をタッチパネルの表示部に表示し、接触を検知した読取画像を処理対象として受け付ける構成とする。また、接触を検知した実行処理画像に係る処理をこの処理対象に対して実行する処理として受け付ける構成とする。これにより、表示部に表示された読取画像及び実行処理画像を対応付けて選択することができる。例えば読取画像をドラッグ操作して実行処理画像へドロップ操作するなどの簡単な操作で処理対象とこれに対する処理とをタッチパネルにて選択することができる。よって、原稿読取装置の操作性を向上することができる。また、表示部に処理結果を読取画像又は実行処理画像と共に表示する構成とする。これにより、ユーザが処理結果を確認しながら処理対象及び処理の選択を行うことができ、ユーザの作業のやり直しなどが発生することを抑制できる。よって、作業時間の増大を抑制することができ、原稿読取装置の利便性を向上することができる。
【００２５】
また、第２発明による場合は、編集処理に関連付けられた雛型画像を実行処理画像として表示する構成とする。また、雛型画像に処理対象の読取画像を当てはめた処理結果を表示する構成とする。これにより、表示部に表示された読取画像及び雛型画像を対応付けて選択し、タッチパネルにて編集作業を行うことができる。よって、原稿読取装置の編集処理に係る操作性を向上することができる。また、処理結果として雛型画像に処理対象の読取画像を当てはめて表示する構成とする。これにより、編集作業の時間が増大することを抑制できるため、原稿読取装置の編集処理に係る利便性を向上することができる。
【００２６】
また、第３発明による場合は、読取画像を他の装置へ送信する機能を原稿読取装置が有する場合に、送信先に関連付けられた送信先画像を実行処理画像として表示する構成とする。また、処理対象の読取画像を送信先画像への接触により受け付けられた送信先へ送信する構成とする。これにより、表示部に表示された読取画像及び送信先画像を対応付けて選択することができ、容易に読取画像毎に送信先を選択することができる。よって、読取画像の送信を行う際の原稿読取装置の操作性及び利便性を向上することができる。
【００２７】
また、第４発明による場合は、記憶装置へ読取画像を記憶する機能を原稿読取装置が有する場合に、記憶先に関連付けられた記憶先画像を実行処理画像として表示する構成とする。また、処理対象の読取画像を記憶先画像への接触により受け付けられた記憶先へ記憶する構成とする。これにより、表示部に表示された読取画像及び記憶先画像を対応付けて選択することができ、容易に読取画像毎に記憶先を選択することができる。よって、読取画像の記憶を行う際の原稿読取装置の操作性及び利便性を向上することができる。
【００２８】
また、第５発明による場合は、表示された読取画像への連続的な接触操作を検知した場合に、この読取画像に係る情報を表示する構成とする。これにより、ダブルクリック操作のような簡単な操作で各読取画像に関する情報を個別に確認することができるため、原稿読取装置の操作性及び利便性をより向上することができる。
【発明を実施するための最良の形態】
【００２９】
以下、本発明をその実施の形態を示す図面に基づき具体的に説明する。なお、本実施の形態においては、原稿読取装置としてデジタル複合機を例に説明を行う。図１は、本発明に係るデジタル複合機の構成を示すブロック図である。図において１は、原稿の複写を行うコピー機能、ＰＳＴＮ（Public Switched Telephone Network、公衆電話回線網）を介してデータの送受信を行うファクシミリ機能、原稿を読み取って画像を取得するスキャナ機能、及びＬＡＮ（Local Area Network）などのネットワークを介して与えられる画像を印刷用紙に印刷するプリンタ機能等の複数の機能を備えるデジタル複合機である。デジタル複合機１は、ＬＡＮを介して複数のＰＣ５、６…に接続されている。これによりデジタル複合機１は、ＰＣ５、６…から送信されたデータを受信してプリンタ機能により印刷用紙に印刷を行うことができ、読み取った原稿に係る画像をスキャナ機能によりＰＣ５、６…へ送信することができる。また、デジタル複合機１は、ＰＳＴＮを介して他のデジタル複合機２及びＦＡＸ（ファクシミリ）３等の機器に接続されており、これらの機器との間で音声信号による画像の送受信を行うことができる。
【００３０】
デジタル複合機１は、ＮＣＵ（Network Control Unit）１１、モデム１２、ＲＯＭ（Read Only Memory）１３、ＲＡＭ（Random Access Memory）１４、ＬＡＮ通信部１５、原稿読取部１６、画像メモリ１７、印刷部１８及びタッチパネル１９と、これら各部の動作を制御する制御部１０とを備えている。制御部１０は、具体的にはＣＰＵ（Central Processing Unit）又はＭＰＵ（Micro Processing Unit）等により構成してある。制御部１０は、ＲＯＭ１３に予め記憶されたプログラム及びデータを読み出して実行することにより、デジタル複合機１の各部の動作を制御すると共に、種々のソフトウェア的機能を実現する。ＲＯＭ１３は、マスクＲＯＭ、ＥＥＰＲＯＭ（Electrically Erasable Programmable ROM）又はフラッシュメモリ等の不揮発性メモリ素子により構成してあり、デジタル複合機１の動作に必要な種々のソフトウェアプログラムが予め記憶してある。ＲＡＭ１４は、制御部１０が各部の制御処理又は演算処理等を行う際に発生する一時的なデータを記憶するものであり、ＳＲＡＭ（Static RAM）又はＤＲＡＭ（Dynamic RAM）等の書き換え可能なメモリ素子により構成してある。
【００３１】
ＮＣＵ１１は、ＰＳＴＮとの回線の閉結及び開放の動作を行うハードウェアであり、ＰＳＴＮとモデム１２とのインタフェース回路を有している。モデム１２は、ＰＳＴＮを介して他のデジタル複合機２またはＦＡＸ３等とファクシミリ通信を行うためのハードウェアである。モデム１２は、ファクシミリ通信によりデータの送信を行う場合には、原稿を読み取って得られた画像のデジタルデータをアナログの音声信号に変換して送信し、データの受信を行う場合には、ＰＳＴＮを介して受信したアナログの音声信号をデジタルデータの画像に変換する。ＬＡＮ通信部１５は、所謂ＬＡＮケーブルを接続するためのコネクタを有している。ＬＡＮ通信部１５は、コネクタに接続されたＬＡＮケーブルを介して社内ＬＡＮ又は家庭内ＬＡＮ等のＬＡＮに接続し、ＰＣ５、６…との間でデータの送受信を行う。このとき、ＬＡＮ通信部１５はＰＣ５、６…内の記憶装置に直接的にデータを保存することができると共に、ＰＣ５、６…へ電子メールとしてデータを送信することもできる。
【００３２】
デジタル複合機１は、コピー機能、ファクシミリ機能及びスキャナ機能等を利用する際に原稿の読取を行う原稿読取部１６と、コピー機能、ファクシミリ機能及びプリンタ機能等を利用する際に印刷用紙へ画像を印刷する印刷部１８とを備えている。原稿読取部１６は、ＣＣＤイメージセンサを有する光学ユニットにて原稿の読み取りを行い、読み取りにより取得した画像を画像メモリ１７に記憶する。また、原稿読取部１６は、ＡＤＦを有しており、複数頁の原稿を自動的に読み取ることができる。
【００３３】
画像メモリ１７は、モデム１２及びＮＣＵ１１を介したファクシミリ通信により受信した画像、及び原稿読取部１６が読み取った画像等を一時的に記憶するものであり、ＤＲＡＭ又はフラッシュメモリ等の大容量のメモリ素子で構成してある。印刷部１８は、半導体レーザ又はＬＥＤ等の光源、トナーを付着させる感光体、及びトナーを熱又は圧力で印刷媒体へ転写して定着させる定着部等を有している。印刷部１８は、画像メモリ１７に記憶された画像を読み出して、Ａ３縦、Ｂ４縦、Ａ４縦、Ｂ５横及びＡ５横等の各サイズの印刷用紙から最適なサイズのものを選択して印刷を行う。
【００３４】
タッチパネル１９は、液晶ディスプレイなどで構成される表示部２１と、この表示部２１に対する接触を検知する接触センサ２２とを有している。タッチパネル１９の表示部２１には、デジタル複合機１の動作状態、デジタル複合機１の機能をユーザが選択するための選択メニュー、各機能の設定を行うための設定メニュー、及び操作案内又は警告メッセージ等のユーザへ通知する情報等を表示するようにしてあり、これらの表示のための画像はＲＯＭ１３に予め記憶してあり、制御部１０がＲＯＭ１３から画像を読み出してタッチパネル１９へ与える。
【００３５】
更に、本発明に係るデジタル複合機１では、表示部２１に原稿読取部１６にて読み取った原稿に係る画像を一覧表示することができるようにしてあり、制御部１０が画像メモリ１７に記憶された画像を表示部２１に表示可能な程度のサイズに縮小してタッチパネル１９へ与えて、表示部２１にて所謂サムネイル表示を行う。
【００３６】
タッチパネル１９の接触センサ２２には、アナログ容量結合方式のセンサを用いることができる。アナログ容量結合方式の接触センサは、表示部２１の表面を導電膜で均一にコーティングして電界を張り巡らせ、ユーザの指が触れた場合に生じる電界の変化による容量結合の変化を測定することにより接触位置を特定することができる。よって、接触センサ２２を用いることにより、表示部２１への接触を検知することができると共に、接触位置を特定して表示部２１に表示されてメニュー又はアイコン等のいずれに対する接触であるかを判断することができる。接触センサ２２は検知結果を制御部１０へ通知する。
【００３７】
また、本発明に係るデジタル複合機１では、タッチパネル１９の表示部２１にユーザが指を接触して離す操作をタッチ操作として検知することができる。更に、ユーザによる表示部２１中の略同じ場所への連続したタッチ操作を連続タッチ操作として検知することができる。また、ユーザが表示部２１に接触し、接触した状態で指を表示部２１中の別の場所へ移動させ、その後に指を離す操作をドラッグ＆ドロップ操作として検知することができる。これにより、ＰＣなどに備えられたマウスを用いたクリック操作、ダブルクリック操作、及びドラッグ＆ドロップ操作と同じ操作感で、ユーザがデジタル複合機１の操作を行うことができる。なお、タッチパネル１９の接触センサ２２は表示部２１への接触の検知及び接触位置の判断を行うのみであり、これを通知された制御部１０が連続タッチ操作及びドラッグ＆ドロップ操作が行われたか否かを判定する。ただし、タッチパネル１９にて連続タッチ操作及びドラッグ＆ドロップ操作が行われたか否かの判定を行う構成としてもよい。
【００３８】
デジタル複合機１のコピー機能は、原稿読取部１６にて原稿を読み取って取得した画像を画像メモリ１７に記憶し、この画像を読み出して印刷部１８にて印刷用紙に印刷することで実現される。ファクシミリ機能は、原稿読取部１６にて原稿を読み取って得られた画像をモデム１２へ与え、モデム１２及びＮＣＵ１１によりＰＳＴＮを介して他のデジタル複合機２又はＦＡＸ３等へ画像を送信すると共に、他のデジタル複合機２又はＦＡＸ３から受信した画像を画像メモリ１７に記憶し、この画像を読み出して印刷部１８にて印刷用紙に印刷することで実現される。プリンタ機能は、ＰＣ５、６…からＬＡＮを介して受信した画像を画像メモリ１７に記憶し、この画像を読み出して印刷部１８にて印刷用紙に印刷することで実現される。スキャナ機能は、原稿読取部１６にて原告を読み取って取得した画像を画像メモリ１７に記憶し、この画像を読み出してＬＡＮ通信部１５がＬＡＮを介してＰＣ５、６…内の記憶装置へ記憶するか、又は電子メールとして送信することで実現される。
【００３９】
本発明に係るデジタル複合機１では、例えばコピー機能を利用してユーザが原稿のコピーを行う場合、集約コピー又は両面コピー等の種々の条件を設定してコピーを行うことができる。これらの条件設定は上述のタッチ操作、連続タッチ操作及びドラッグ＆ドロップ操作によりタッチパネル１９に表示されたメニュー、画像及びアイコン等を選択して行うことができる。また、ファクシミリ機能により原稿を送信する場合の送信先の設定、及びスキャナ機能により原稿を読み取って取得した画像をＰＣ５、６…内の記憶装置に記憶させる場合の記憶先の設定又は電子メールとして送信する場合の送信先の設定等についても同様である。
【００４０】
図２乃至図８は、本発明に係るデジタル複合機１のタッチパネル１９の操作手順を説明するための模式図であり、タッチパネル１９の表示部２１に表示されるメニュー、アイコン及び画像等を模式的に図示してある。また、図中においては（ａ）から（ｈ）まで時系列に操作手順を示してあり、デジタル複合機１のコピー機能を利用して複数頁の原稿を集約して印刷用紙の両面に印刷する場合の例を示してある。
【００４１】
デジタル複合機１が待機状態（コピー又はファクシミリの送受信等の処理を行っていない状態）の場合、タッチパネル１９の表示部２１には利用するデジタル複合機１の機能を選択するメニューを表示する（図２（ａ）参照）。図示のメニューにおいて、ユーザはコピー機能、ファクシミリ機能、読み取った原稿の保存先を指定するスキャナ機能（以下、保存機能という）、又は読み取った原稿をメールで送信するスキャナ機能（以下、メール機能という）の４つの機能を選択することができる。表示部２１には、”コピー”の文字が付されたコピー機能を選択するための略長円形のアイコン３１、”保存”の文字が付された保存機能を選択するためのアイコン３２、”ファックス”の文字が付されたファクシミリ機能を選択するためのアイコン３３、及び”メール”の文字が付されたメール機能を選択するためのアイコン３４と、これら４つのアイコンによる選択を決定する決定アイコン３５とが表示してある。４つのアイコン３１〜３４はユーザがタッチ操作することにより反転表示又は点滅表示等により強調表示される（図２においてはハッチングを付してある）。この状態でユーザが決定アイコン３５をタッチ操作することにより利用する機能の選択を確定させることができる。
【００４２】
コピー機能が選択された場合、デジタル複合機１は表示部２１の表示内容を更新し、原稿読取部１６のＡＤＦへの原稿のセットをユーザに促すためのメッセージ４１を表示する。更に、ユーザが原稿の読み取り開始をデジタル複合機１へ指示するためのスタートアイコン４２及び機能選択のメニュー表示に表示内容を戻すためのアイコン４３とを表示部２１に表示する（図２（ｂ）参照）。ユーザは、原稿読取部１６のＡＤＦへ原稿をセットした後にスタートアイコン４２をタッチ操作することによって、原稿の読み取りを開始することができる。また、アイコン４３をタッチ操作することによって、機能の選択を再度行うことができる。
【００４３】
原稿読取部１６にて原稿の読み取りが終了した後、デジタル複合機１は読み取りにより取得した画像（以下、読取画像という）を一覧表示する（図３（ｃ）参照）。このとき、読取画像は、表示部２１の略中央に表示された矩形枠による一覧表示部５１内に読み取った順に並べて表示される（読取画像Ａ〜Ｔ）。読取原稿の数が一覧表示部５１に表示可能な数を超える場合には、一覧表示部５１の上下に設けられた上スクロールアイコン５２又は下スクロールアイコン５３をタッチ操作することにより一覧表示部５１内の読取画像の表示を上下にスクロールさせることができる。一覧表示部５１に表示される読取画像は適宜の大きさに縮小されたものである。また、ユーザが各読取画像にタッチ操作を行うことによって読取画像の選択を行うことができるようにしてあり、デジタル複合機１は選択された読取画像を反転表示、点滅表示又は太枠表示等により強調表示する（図３においては選択された読取画像Ａ〜Ｎを太枠で囲んである）。
【００４４】
また、一覧表示部５１と共に表示部２１には、表示部２１の表示を以前のものに戻すためのアイコン５４と、読取画像を削除するためのゴミ箱アイコン５５と、集約コピー又は両面コピー等の応用編集を行うための応用編集アイコン５６と、読取画像の印刷をスタートしてコピーを行うためのスタートアイコン５７とが、一覧表示部５１の下方に表示してある。スタートアイコン５７をタッチ操作した場合、一覧表示部５１にて選択された読取画像の印刷を開始することができる。一覧表示部５１の読取画像が１つも選択されていない場合には、全ての読取画像を印刷する。
【００４５】
原稿読取部１６のＡＤＦにセットした原稿に無関係な原稿が１頁含まれていた場合などに、ユーザはゴミ箱アイコン５５を利用してこの原稿に係る読取画像を削除し、コピーの対象外とすることができる。例えば、読取原稿Ａを削除する場合には、読取原稿Ａをタッチ操作により選択した後で、ゴミ箱アイコン５５をタッチ操作することで削除を行うことができる。また、ユーザが表示部２１に表示された読取原稿Ａ上に指を触れた後、表示部２１から指を離すことなくゴミ箱アイコン５５まで指を移動させ、ゴミ箱アイコン５５上で指を離す一連の操作、所謂ドラッグ＆ドロップ操作を行うことで読取原稿Ａを削除することもできる。
【００４６】
ユーザは応用編集アイコン５６をタッチ操作することによって集約コピー又は両面コピー等の応用機能を利用してコピーを行うか否かの選択することができる。デジタル複合機１は応用編集アイコン５６に対するタッチ操作に伴って表示部２１の表示を更新し、応用機能を選択するためのメニューを表示する（図４（ｄ）参照）。このとき、表示部２１の略中央に表示された矩形枠による応用機能アイコン表示部６１内に、それぞれが応用機能に対応付けられた複数の応用機能アイコン６２が縦横にマトリクス状に並べて表示される。また、応用機能アイコン表示部６１の最左列の中央に位置する応用機能アイコン６２ａが拡大して表示される。拡大表示された応用機能アイコン６２ａに係る応用機能が現時点で選択されている応用機能であり、図示の例では２頁の原稿を１枚の印刷用紙に集約してコピーする集約コピー機能が選択されている。
【００４７】
応用機能アイコン表示部６１内には上部、下部及び右部にそれぞれ上スクロールアイコン６３、下スクロールアイコン６４及び右スクロールアイコン６５が表示してある。上スクロールアイコン６３又は下スクロールアイコン６４をタッチ操作することにより、応用機能アイコン表示部６１に表示された全応用機能アイコン６２を上下方向へスクロールさせることができる。右スクロールアイコン６５をタッチ操作することにより、応用機能アイコン表示部６１の中央に表示された１行の応用機能アイコン６２を右方向へスクロールさせることができる。これらにより、ユーザは一の応用機能アイコン６２を応用機能アイコン表示部６１の最左列の中央へ移動させて応用機能を選択することができる。
【００４８】
応用機能アイコン表示部６１の下方には、デジタル複合機１のハードウェアに係る詳細設定を行うための機能設定アイコン６６と、表示部２１の表示を以前のものに戻すためのアイコン６７と、応用機能アイコン表示部６１にて選択された応用機能の選択を確定する確定アイコン６８とが表示してある。ユーザにより確定アイコン６８がタッチ操作された場合、デジタル複合機１は表示部２１の表示を更新し、選択された応用機能について詳細な設定及び編集等を行うためのメニューを表示する。図５（ｅ）には、応用機能として２頁の原稿を１枚の印刷用紙に集約してコピーする集約コピー機能が選択された場合の編集メニューの表示例を図示してある。
【００４９】
このとき、デジタル複合機１は、表示部２１の左部の矩形枠による一覧表示部７１内に、図３（ｃ）に示した一覧表示部５１にて選択された読取画像（読取画像Ａ〜Ｎ）を一覧表示する。また、表示部２１の右部には矩形枠による編集アイコン表示部７２を表示する。編集アイコン表示部７２内の上部には雛型アイコン７３を表示し、下部には回転アイコン７４、両面アイコン７５、フィットアイコン７６、用紙サイズアイコン７７をマトリクス状に並べて表示する。
【００５０】
図５（ｅ）に例示する雛型アイコン７３は、印刷用紙の一面を上下に２つの領域７３ａ及び７３ｂに破線で分割した態様を模式的に示した図形であり、ユーザがタッチ操作により上下のいずれかの領域７３ａ又は７３ｂを選択することができる。また、例えば図６（ｆ）に示すように、ユーザは一覧表示部７１に表示された一の読取画像Ａに指を接触させた状態を保持しつつ、表示部２１の表面に沿って図中白抜き矢印の方向へ雛型アイコン７３の上側の領域７３ａまで指を移動させ、雛型アイコン７３の上側の領域７３ａ内にて指を離す一連の操作（即ち、一の読取画像Ａをドラッグして雛型アイコン７３の上側の領域７３ａへドロップするドラッグ＆ドロップ操作）を行うことができる。この一連の操作により、集約コピーの雛型へ読取画像Ａを当てはめ、印刷用紙の上側半分に印刷する画像に読取画像Ａを指定する編集操作を行うことができる。この一連の操作後、デジタル複合機１は、編集操作の結果として雛型アイコン７３に読取画像Ａを当てはめて表示する（図７（ｇ）参照）。
【００５１】
編集アイコン表示部７２の回転アイコン７４は、例えば雛型アイコン７３の上側の領域７３ａを選択した後にタッチ操作することによって、雛型アイコン７３の上側の領域７３ａに当てはめられた読取画像の向きを回転して変更するためのものである。両面アイコン７５は、応用機能として両面コピー機能を集約コピー機能と共に用いる場合に、雛型アイコン７３として表示する印刷用紙の表裏を反転させる操作を行うためのものである。フィットアイコン７６は、原稿読取部１６にてＡ４及びＡ３などの異なるサイズの頁を含む原稿の読み取りを行った場合などに、印刷用紙のサイズに合わせて読取画像を拡大／縮小するためのものである。用紙サイズアイコン７７は、雛型アイコン７３として表示する印刷用紙のサイズを変更するためのものである。
【００５２】
一覧表示部７１の下方には、表示部２１の表示を以前のものに戻すためのアイコン７８と、各読取画像の詳細な情報を表示させるための詳細画面アイコン７９と、印刷する印刷用紙のサイズを変更する用紙サイズアイコン８０とが表示される。また、編集アイコン表示部７２の下方には、編集作業を確定して終了し、コピーのための次の手順へ進めるためのアイコン８１が表示される。詳細画面アイコン７９をタッチ操作することにより表示部２１に表示される詳細画面については後述する。また、用紙サイズアイコン８０と編集アイコン表示部７２の用紙サイズアイコン７７とは共に印刷する用紙のサイズを変更するものである。しかし、用紙サイズアイコン８０を用いることにより印刷される全頁のサイズを変更することができるのに対して、編集アイコン表示部７２の用紙サイズアイコン７７を用いることにより特定頁のサイズのみを変更することができる。ユーザによりアイコン８１がタッチ操作された場合、デジタル複合機１は表示部２１の表示を更新し、編集操作の結果を一覧表示する（図８（ｈ）参照）。
【００５３】
このとき、デジタル複合機１は、表示部２１の略中央の矩形枠による一覧表示部９１内に、コピー結果として出力される印刷物のイメージ画像を並べて表示する。図８（ｈ）に示す例では集約コピー及び両面コピーの機能を選択して編集した結果を図示してあり、一枚目の表面、一枚目の裏面、二枚目の表面、二枚目の裏面…のように、出力される順でイメージ画像が並べて表示してある。出力枚数が一覧表示部９１に表示可能な数を超える場合には、一覧表示部９１の上下に設けられた上スクロールアイコン９３又は下スクロールアイコン９４をタッチ操作することにより、一覧表示部９１内のイメージ画像の表示を上下にスクロールさせることができる。
【００５４】
一覧表示部９１の下方には、表示部２１の表示を以前のものに戻すためのアイコン９５と、ゴミ箱アイコン９６と、応用編集アイコン９７と、スタートアイコン９８とが表示してある。ゴミ箱アイコン９６は、図３（ｃ）に示したものと同じ機能であり、一覧表示部９１に表示された出力のイメージ画像から任意のものを選択して削除することができる。応用編集アイコン９７もまた図３（ｃ）に示したものと同じ機能であり、ユーザがタッチ操作することにより図４（ｄ）に示したメニューを表示部２１に表示して、更に種々の応用機能の選択を行うことができる。一覧表示部９１の出力のイメージ画像が所望のものである場合には、ユーザはスタートアイコン９８をタッチ操作することでコピーを開始させることができ、デジタル複合機１は一覧表示部９１に表示した各イメージ画像に等しい画像を印刷用紙に印刷して出力する。
【００５５】
以上のように、本発明に係るデジタル複合機では、タッチパネル１９の表示部２１に表示された読取画像を編集のための雛型アイコン７３にドラッグ＆ドロップ操作するのみの簡単な操作で、ユーザが応用編集の設定を行うことができる。また、雛型アイコン７３にはユーザにより選択された読取画像が当てはめて表示される。このため、ユーザは印刷用紙に印刷されるイメージを確認しながら操作を行うことができる。よって、誤操作による作業のやり直しなどが発生することを防止できる。
【００５６】
次に、デジタル複合機１の表示部２１に表示された読取画像（例えば、図３（ｃ）の一覧表示部５１に表示された読取画像、又は図５（ｅ）〜図７（ｇ）の一覧表示部７１に表示された読取画像等）の詳細情報を表示させる方法を説明する。図９及び図１０は、本発明に係るデジタル複合機１のタッチパネル１９の操作手順を説明するための模式図である。例えば、図３（ｃ）の状態において、読取画像Ａの詳細情報を確認する場合、ユーザは表示部２１の一覧表示部５１に表示された読取画像Ａを所定の時間内（例えば、１秒以内）に２回の連続タッチ操作する（図９参照）。読取画像Ａへの連続タッチ操作を受け付けたデジタル複合機１は、表示部２１に詳細情報ウインドウ１００を表示する（図１０参照）。
【００５７】
詳細情報ウインドウ１００の上部には、読取画像Ａが左側に表示してある共に、読取画像Ａについての複数の設定がアイコン１０２〜１０９として右側に並べて表示される。図１０に示す例では、読取画像Ａのコピーを実行するか否か、読取画像Ａをコピーする部数、コピーする印刷用紙のサイズ、コピーの倍率、コピー濃度、画質、とじしろの有無、枠の消去を行うか否か等の設定がアイコン１０２〜１０９にそれぞれ表示されている。アイコン１０２〜１０９はユーザがタッチ操作によりいずれか１つを選択することができ、選択されたアイコン１０２〜１０９に係る設定を行うための設定入力部１１０が詳細情報ウインドウ１００の中央に設けてある。図１０に示す例では、コピー部数に係る設定のアイコン１０３がユーザによりタッチ操作された場合を図示してある。この場合、デジタル複合機１は、設定入力部１１０に現時点のコピー部数の設定状態を表示すると共に、テンキーアイコン１１１を表示してユーザからの数値入力を受け付け、受け付けた数値をコピー部数の設定値とする。
【００５８】
また、詳細情報ウインドウ１００の下部には、詳細情報ウインドウ１００の設定を保存するか否かを選択することができる保存設定アイコン１１２と、詳細情報ウインドウ１００にて変更した設定を反映させることなく詳細情報ウインドウ１００を閉じるためのアイコン１１３と、設定を反映させて詳細情報ウインドウ１００を閉じるための決定アイコン１１４とが表示される。保存設定アイコン１１２により設定の保存が選択された場合には、デジタル複合機１は詳細情報ウインドウ設定値をデフォルト値として保存する。なお、決定アイコン１１４がタッチ操作された場合には、デジタル複合機１は詳細情報ウインドウ１００の設定を反映させるが、この設定は選択された読取画像Ａについてのみであり、他の読取画像Ｂ〜Ｔについてはこの設定は反映されない。
【００５９】
以上のように、本発明に係るデジタル複合機１では、タッチパネル１９の表示部に表示された読取画像を連続的にタッチ操作する簡単な操作で、ユーザが各読取画像についての詳細情報を詳細情報ウインドウ１００にて容易に確認することができる。また、詳細情報ウインドウ１００にて各読取画像について個別に設定の変更を行うことができる。例えば原稿中に写真による頁と文字による頁とが混在する場合などに設定を個別に変更することができる。よって、デジタル複合機１の利便性を高めることができる。なお、図９及び図１０においては、図３（ｃ）に示す状態で読取画像を連続的にタッチ操作した場合を図示してあるが、これに限るものではなく、図５（ｅ）に示す状態で一覧表示部７１内の読取画像を連続的にタッチ操作された場合にも同様に詳細情報ウインドウ１００を表示する構成としてもよい。また、図８（ｈ）に示す状態で一覧表示部９１内のイメージ画像が連続的にタッチ操作された場合にも同様に詳細情報ウインドウ１００を表示する構成としてもよい。
【００６０】
次に、デジタル複合機１のファクシミリモードでの操作方法を説明する。図１１乃至図１４は、本発明に係るデジタル複合機のタッチパネル１９の操作手順を説明するための模式図であり、図２（ａ）にてアイコン３３がタッチ操作されてファクシミリ機能が選択され、原稿の読み取りを完了した後の状態を図示してある。図中においては図１１から図１４まで時系列に操作手順を示してある。
【００６１】
原稿の読取完了後、デジタル複合機１はタッチパネル１９の表示部２１に、登録されている送信先の一覧を表示する（図１１（ａ）参照）。このとき、デジタル複合機１は、表示部２１の中央に表示された矩形枠による送信先アイコン一覧表示部１２０内に、複数の送信先アイコンを縦横にマトリクス状に並べて表示する。送信先アイコンは、ユーザがあらかじめ登録するものであり、送信先の名称と、一又は複数種類の模式的な画像とを組み合わせたものである。図示は省略するが、各送信先アイコンを連続的にタッチ操作することにより、送信先に関する詳細な設定（例えば、ファクシミリ番号など）を表示することができる。
【００６２】
送信先アイコン一覧表示部１２０の上部には、３つのタブ１２１〜１２３が設けてある。ユーザがいずれか１つのタブ１２１〜１２３をタッチ操作することにより、送信先アイコン一覧表示部１２０に表示する送信先アイコンの表示方法を選択して変更することができる。”全宛先”の文字が付されたタブ１２１が選択された場合、デジタル複合機１は登録されている全ての送信先アイコンを送信先アイコン一覧表示部１２０に表示する。”グループ”の文字が付されたタブ１２２が選択された場合、ユーザが予め定めたグループ毎に送信先アイコンを分類して表示する。”あいう…”の文字が付されたタブ１２３が選択された場合、送信先の名称を五十音で分類して送信先アイコンを表示する。
【００６３】
また、送信先アイコン一覧表示部１２０の上下には、上スクロールアイコン１２４及び下スクロールアイコン１２５が表示してある。上スクロールアイコン１２４又は下スクロールアイコン１２５をユーザがタッチ操作することにより、送信先アイコン一覧表示部１２０内の表示を上下にスクロールすることができる。ユーザは送信先アイコン一覧表示部１２０内の送信先アイコンに対してタッチ操作を行うことにより送信先アイコンの選択を行うことができる。デジタル複合機１はタッチ操作により選択された送信先アイコンを反転表示、点滅表示又は太枠表示等により強調表示する（図１１においては選択された送信先アイコン”ａさん”、”ｂさん”及び”ｃさん”を太枠で囲んである）。
【００６４】
送信アイコン一覧表示部１２０の下方には、表示部２１の表示を以前のものに戻すための操作を受け付けるアイコン１２６と、ファクシミリ番号を直接入力して送信先を設定するためのダイヤルアイコン１２７と、送信アイコン一覧表示部１２０に表示された送信先アイコンを全て選択する全選択アイコン１２８と、新たな送信先を登録するためのメニュー（図示は省略する）を表示させる設定登録アイコン１２９と、送信先アイコンの選択を確定して次の処理へ移行するための操作を受け付けるアイコン１３０とが表示してある。デジタル複合機１は、”次へ”の文字が付されたアイコン１３０に対するタッチ操作を受け付けた場合、表示部２１の表示を更新して、原稿読取部１６にて読み取った原稿に係る読取画像を一覧表示する（図１２参照）。
【００６５】
このとき、デジタル複合機１は、表示部２１の中央から上部にかけて表示された矩形枠による一覧表示部１４０内に、原稿読取部１６が読み取って取得した読取画像を並べて一覧表示する。また、一覧表示部１４０の上下に設けられた上スクロールアイコン１４１及び下スクロールアイコン１４２をユーザがタッチ操作することにより、一覧表示部１４０内の読取画像の表示を上下にスクロールさせることができる。
【００６６】
一覧表示部１４０の下方には送信先アイコン表示部１４３が設けてあり、デジタル複合機１は、図１１に示す送信先アイコン一覧表示部１２０にて選択された送信先アイコンを送信先アイコン表示部１４３に表示する。図１２に示す例では、図１１にて強調表示してある３つの送信先アイコンが送信先アイコン表示部１４３に表示してある。例えば図１３に示すように、一の読取画像Ｂをドラッグして一の送信先アイコンへドロップするドラッグ＆ドロップ操作を行うことにより、各読取画像の送信先を個別に設定することができる。また、個別に送信先が設定された場合、デジタル複合機１は一覧表示部１４０内の各読取画像に縮小又は簡易化した送信先アイコンを重ねて表示するようにしてあり（図１４参照）、重ねて表示した送信先アイコンによりユーザが各読取画像の送信先を確認することができる。
【００６７】
送信先アイコン表示部１４３の下方には、表示部２１の表示を以前のものに戻すための操作を受け付けるアイコン１４４と、ファクシミリ番号を直接入力して送信先を設定するためのダイヤルアイコン１４５と、一覧表示部１４０に表示された読取画像を全て選択する全選択アイコン１４６と、新たな送信先を登録するためのメニューを表示させる設定登録アイコン１４７と、各読取画像の送信先を確定して次の処理へ移行するための操作を受け付けるアイコン１４８とが表示してある。デジタル複合機１は、”次へ”の文字が付されたアイコン１４８に対するタッチ操作を受け付けた場合、各読取画像を設定された送信先へ送信する。
【００６８】
以上のように、本発明に係るデジタル複合機１では、ユーザは一覧表示部１４０に表示された読取画像をドラッグし、送信アイコン表示部１４３に表示された送信先アイコンへドロップするドラッグ＆ドロップ操作を行う。これにより、各送信画像の送信先を個別に容易に設定することができるため、デジタル複合機１の操作性及び利便性を向上することができる。なお、詳細な説明及び図示は省略するが、図２（ａ）においてアイコン３４がタッチ操作されて電子メールによる読取画像の送信機能が選択された場合も、上述のファクシミリ送信の場合と同様の方法で、電子メールの送信先の設定を行うことができる。
【００６９】
次に、デジタル複合機１のスキャナモードでの操作方法を説明する。図１５は、本発明に係るデジタル複合機１のタッチパネル１９の操作手順を説明するための模式図である。本実施の形態に係るデジタル複合機１は、ＬＡＮを介して複数のＰＣ５、６…と通信を行う。この通信によりデジタル複合機１は、スキャナ機能により読み取った原稿に係る読取画像をあらかじめ登録されたＰＣ５、６…のフォルダに保存する。ユーザはスキャナ機能を利用する場合には、図２（ａ）にてアイコン３２をタッチ操作により選択し、原稿の読み取りを行う。原稿の読み取りを完了した後、デジタル複合機１は、図示は省略するが、登録された複数のフォルダから一又は複数のフォルダを保存先として選択するためのメニューを表示する。次いで、デジタル複合機１は、表示したメニューへのタッチ操作を受け付けて、ユーザによる保存先の選択を受け付ける。
【００７０】
ユーザからの保存先の選択を受け付けた後、デジタル複合機１は、原稿読取部１６にて読み取った原稿に係る読取画像を表示部２１に一覧表示する（図１５参照）。このとき、デジタル複合機１は、表示部２１の中央から上部にかけて表示された矩形枠による一覧表示部１６０内に、原稿読取部１６が読み取って取得した読取画像を並べて一覧表示する。また、一覧表示部１６０の上下に設けられた上スクロールアイコン１６１及び下スクロールアイコン１６２をユーザがタッチ操作することにより、一覧表示部１６０内の読取画像の表示を上下にスクロールさせることができる。
【００７１】
一覧表示部１６０の下方には保存先アイコン表示部１６３が設けてある。デジタル複合機１は選択を受け付けた保存先に係る保存先アイコンを保存先アイコン表示部１６３に表示する。保存先アイコンは、保存先のフォルダ名を示す文字列と、フォルダの模式的な画像とを組み合わせたものである。図１５に示す例では、フォルダａ〜ｄの４つを示す保存先アイコンが保存先アイコン表示部１６３に表示してある。例えば、一の読取画像Ｉをドラッグして一の保存先アイコンへドロップするドラッグ＆ドロップ操作を行うことにより、各読取画像の保存先を個別に設定することができる。また、個別に保存先が設定された場合、デジタル複合機１は一覧表示部１６０内の各読取画像に、縮小又は簡易化した送信先アイコンを重ねて表示する。重ねて表示した保存先アイコンによりユーザが各読取画像の保存先を確認することができる。
【００７２】
保存先アイコン表示部１６３の下方には、表示部２１の表示を以前のものに戻すための操作を受け付けるアイコン１６４と、一覧表示部１６０に表示された読取画像を全て選択する全選択アイコン１６５と、新たな保存先を登録するためのメニューを表示させる設定登録アイコン１６６と、各読取画像の保存先を確定して次の処理へ移行するための操作を受け付けるアイコン１６７とが表示してある。デジタル複合機１は、”次へ”の文字が付されたアイコン１６７に対するタッチ操作を受け付けた場合、各読取画像を設定された保存先へ保存する。
【００７３】
以上のように、本発明に係るデジタル複合機１では、ユーザは一覧表示部１６０に表示された読取画像をドラッグし、保存先アイコン表示部１６３に表示された送信先アイコンへドロップする操作を行う。このドラッグ＆ドロップ操作により、各送信画像の保存先を個別に容易に設定することができるため、デジタル複合機１の操作性及び利便性を向上することができる。なお、ＬＡＮを介して接続されたＰＣ５、６…のフォルダに読取画像を保存するのみでなく、デジタル複合機１にＵＳＢメモリ又はカード型メモリ等の外部記憶媒体を装着する機能を備えてもよい。この場合には、外部記憶媒体のフォルダに係る保存先アイコンを表示して、ドラッグ＆ドロップ操作により外部記憶媒体のフォルダに読取画像を保存する。
【００７４】
図１６及び図１７は、本発明に係るデジタル複合機１が行うタッチパネル１９での操作受付処理の手順を示すフローチャートであり、図５〜図７に示す処理の場合（集約コピーを行う場合）を例に手順を示してある。なお、この手順はデジタル複合機１の制御部１０にて行われる処理の手順である。デジタル複合機１の制御部１０は、タッチパネル１９の接触センサ２２により表示部２１への接触を検知したか否かを調べ（ステップＳ１）、接触がない場合には（Ｓ１：ＮＯ）、ユーザによる表示部２１への接触を検知するまで待機する。
【００７５】
表示部２１への接触を検知した場合（Ｓ１：ＹＥＳ）、表示部２１上の接触位置を接触センサ２２より取得し（ステップＳ２）、表示部２１に表示された読取画像に対する接触であるか否かを調べる（ステップＳ３）。ユーザによる接触が読取画像に対するものでない場合（Ｓ３：ＮＯ）、更に他のアイコンに対する接触であるか否かを調べる（ステップＳ４）。他のアイコンに対する接触の場合（Ｓ４：ＹＥＳ）、このアイコンに対応付けられた各処理を行って（ステップＳ５）、処理を終了する。なお、図示のフローは繰り返し行われており、制御部１０はステップＳ５の処理を行って操作受付処理を終了した後に、図示のフローを再度開始し、ステップＳ１の処理を行う。
【００７６】
ユーザによる接触が読取画像に対するものである場合（Ｓ３：ＹＥＳ）、この読取画像を選択して（ステップＳ６）、強調表示し、更にこの読取画像に対する接触操作が連続的なタッチ操作であるか否かを判定する（ステップＳ７）。連続的なタッチ操作であるか否かは、制御部１０に設けられたタイマ（図示は省略する）などにより、前回の接触から今回の接触までの間の時間が所定時間内であるか否かに応じて判定することができる。読取画像に対して連続的なタッチ操作がされた場合（Ｓ７：ＹＥＳ）、表示部２１に詳細情報ウインドウ１００を表示して（ステップＳ８）、ステップＳ１へ戻る。
【００７７】
読取画像に対する接触操作が連続的なタッチ操作でない場合（Ｓ７：ＮＯ）、接触センサ２２により表示部２１に対する接触が解除されたか否かを調べる（ステップＳ９）。接触が解除されていない場合（Ｓ９：ＮＯ）、更に表示部２１に対する接触位置が移動したか否かを接触センサ２２により調べる（ステップＳ１０）。接触位置が移動した場合（Ｓ１０：ＹＥＳ）、制御部１０はドラッグ＆ドロップ操作を受け付けるドラッグ＆ドロップモード（以下、Ｄ＆Ｄモードと記載する）へ移行し（ステップＳ１１）、ステップＳ９へ戻る。接触位置が移動していない場合（Ｓ１０：ＮＯ）、ステップＳ９へ戻る。
【００７８】
ステップＳ９にて表示部２１に対する接触が解除された場合（Ｓ９：ＹＥＳ）、制御部１０は現時点の状態がＤ＆Ｄモードであるか否かを調べる（ステップＳ１２）。Ｄ＆Ｄモードでない場合には（Ｓ１２：ＮＯ）、ステップＳ１へ戻って上述の処理を繰り返す。Ｄ＆Ｄモードの場合（Ｓ１２：ＹＥＳ）、表示部２１に対する接触が解除された位置（即ち、ユーザが指を離した位置）を接触センサ２２により取得する（ステップＳ１３）。次いで、取得した接触解除位置が雛型アイコン７３上であるか否かを調べ（ステップＳ１４）、雛型アイコン７３上でない場合には（Ｓ１４：ＮＯ）、Ｄ＆Ｄモードを解除して（ステップＳ１５）、ステップＳ１へ戻り、上述の処理を繰り返し行う。接触解除位置が雛型アイコン７３上の場合（Ｓ１４：ＹＥＳ）、雛型アイコン７３の分割された各領域に対して読取画像を割り当てる集約の設定処理を行って（ステップＳ１６）、処理を終了する。なお、図示のフローは繰り返し行われており、制御部１０はステップＳ１６の処理を行って操作受付処理を終了した後に、図示のフローを再度開始し、ステップＳ１の処理を行う。
【００７９】
以上の構成の本発明に係るデジタル複合機１は、原稿読取部１６が読み取って取得した読取画像と、雛型アイコン７３、送信先アイコン又は保存先アイコン等のアイコンとをタッチパネル１９の表示部２１に表示して、ドラッグ操作により読取画像を処理対象として受け付ける。更に、アイコンに対するドロップ操作により読取画像に対する処理を受け付ける構成である。この構成により、ユーザが一の表示部上でドラッグ＆ドロップ操作を行って種々の処理を行うことができるため、デジタル複合機１の操作性及び利便性を向上できる。
【００８０】
なお、本実施の形態においては、デジタル複合機１のコピー機能においては集約コピーの設定を行う場合、ファクシミリ機能においては送信先の設定を行う場合、スキャナ機能においては保存先の設定を行う場合について説明したが、本発明の適用はこれらに限るものではなく、その他の操作に応用して適用することができる。また、図２乃至図１５に示した表示部２１の表示例は一例であって、これに限るものではなく、アイコンの配置及びデザイン等は適宜に変更してもよい。また、原稿読取装置としてデジタル複合機を例に説明を行ったが、これに限るものではなく、コピー機、ファクシミリ又はスキャナ等の各機能専用の装置であってもよい。
【図面の簡単な説明】
【００８１】
【図１】本発明に係るデジタル複合機の構成を示すブロック図である。
【図２】本発明に係るデジタル複合機のタッチパネルの操作手順を説明するための模式図である。
【図３】本発明に係るデジタル複合機のタッチパネルの操作手順を説明するための模式図である。
【図４】本発明に係るデジタル複合機のタッチパネルの操作手順を説明するための模式図である。
【図５】本発明に係るデジタル複合機のタッチパネルの操作手順を説明するための模式図である。
【図６】本発明に係るデジタル複合機のタッチパネルの操作手順を説明するための模式図である。
【図７】本発明に係るデジタル複合機のタッチパネルの操作手順を説明するための模式図である。
【図８】本発明に係るデジタル複合機のタッチパネルの操作手順を説明するための模式図である。
【図９】本発明に係るデジタル複合機のタッチパネルの操作手順を説明するための模式図である。
【図１０】本発明に係るデジタル複合機のタッチパネルの操作手順を説明するための模式図である。
【図１１】本発明に係るデジタル複合機のタッチパネルの操作手順を説明するための模式図である。
【図１２】本発明に係るデジタル複合機のタッチパネルの操作手順を説明するための模式図である。
【図１３】本発明に係るデジタル複合機のタッチパネルの操作手順を説明するための模式図である。
【図１４】本発明に係るデジタル複合機のタッチパネルの操作手順を説明するための模式図である。
【図１５】本発明に係るデジタル複合機のタッチパネルの操作手順を説明するための模式図である。
【図１６】本発明に係るデジタル複合機が行うタッチパネルでの操作受付処理の手順を示すフローチャートである。
【図１７】本発明に係るデジタル複合機が行うタッチパネルでの操作受付処理の手順を示すフローチャートである。
【符号の説明】
【００８２】
１  デジタル複合機
１０  制御部（表示処理手段、処理対象受付手段、実行処理受付手段、読取画像処理手段、記憶処理手段）
１１  ＮＣＵ（送信手段）
１２  モデム（送信手段）
１５  ＬＡＮ通信部（記憶処理手段）
１６  原稿読取部（原稿読取手段）
１７  画像メモリ
１８  印刷部
１９  タッチパネル
２１  表示部
２２  接触センサ（検知手段、雛型画像）
７３  雛型アイコン（実行処理画像）
１４３  送信先アイコン（送信先画像）表示部
１６３  保存先アイコン（保存先画像）表示部
Ａ〜Ｔ  読取画像
【図１】
2008236539.tif 000003
【図２】
2008236539.tif 000004
【図３】
2008236539.tif 000005
【図４】
2008236539.tif 000006
【図５】
2008236539.tif 000007
【図６】
2008236539.tif 000008
【図７】
2008236539.tif 000009
【図８】
2008236539.tif 000010
【図９】
2008236539.tif 000011
【図１０】
2008236539.tif 000012
【図１１】
2008236539.tif 000013
【図１２】
2008236539.tif 000014
【図１３】
2008236539.tif 000015
【図１４】
2008236539.tif 000016
【図１５】
2008236539.tif 000017
【図１６】
2008236539.tif 000018
【図１７】
2008236539.tif 000019